(57)【要約】【課題】本発明は各種音響機器に使用されるスピーカに関するものであり、下部プレートとフレームの接着強度を向上させることを目的とするものである。【解決手段】本発明のスピーカは、下部プレート２３とフレーム２６の接触部を一方、または両方を直線状とし、その直線状接触部に切欠部２３ａ，２６ａを設け、この切欠部２３ａ，２６ａに接着剤３１を塗布し、接着剤３１が浸透しやすい構成とする。以上の構成により下部プレート２３とフレーム２６の接着強度を向上させることができる。【選択図】  図１
2004320595.tif 000002
【特許請求の範囲】
【請求項１】
マグネットを上部プレートと下部プレートとで挟持した磁気回路と、この磁気回路に結合されたフレームと、このフレームに、その外周部が結合された振動板と、この振動板に結合されるとともに、その一部が前記磁気回路の磁気ギャップに配置されたボイスコイルとからなるスピーカであって、前記下部プレートは、少なくとも直線部を有し、この直線部と前記フレームとの接触部に、少なくとも１個所以上の切欠部を設け、この切欠部に接着剤を塗布したスピーカ。
【請求項２】
マグネットを上部プレートと下部プレートとで挟持した磁気回路と、この磁気回路に結合されたフレームと、このフレームに、その外周部が結合された振動板と、この振動板に結合されるとともに、その一部が前記磁気回路の磁気ギャップに配置されたボイスコイルとからなるスピーカであって、前記フレームは、少なくとも直線部を有し、この直線部と前記下部プレートとの接触部に、少なくとも１個所以上の切欠部を設け、この切欠部に接着剤を塗布して構成したスピーカ。
【請求項３】
フレームの直線部と接する下部プレートにも直線部を形成し、この下部プレートにも切欠部を設けるとともに、この下部プレートの切欠部にも接着剤を塗布した請求項２に記載のスピーカ。
【発明の詳細な説明】
【０００１】
【発明の属する技術分野】
本発明は各種音響機器および情報通信機器に使用されるスピーカに関するものである。
【０００２】
【従来の技術】
従来のスピーカについて図５により説明する。
【０００３】
図５は従来のスピーカの断面図を示したものである。
【０００４】
携帯電話等の電子機器の小型化に対応するために、従来は丸型スピーカが主流であったものが、図５の角型やトラック型というように、その形状の一部に直線部を有してスペースファクターを向上させたスリムタイプのスピーカが最近では注目されつつある。
【０００５】
すなわち図５のものでは、角型のマグネット１を上部プレート２と下部プレート３により、挟持して磁気回路４を構成している。この磁気回路４とフレーム６を接触させながら、この接触面に接着剤１１を塗布して結合している。そして、このフレーム６の周縁部に振動板７を接着し、この振動板７にこれを駆動させるためのボイスコイル８を結合し、このボイスコイル８を磁気ギャップ５にはまり込むように結合していた。
【０００６】
尚、この出願の発明に関連する先行技術文献情報としては、例えば、特許文献１が知られている。
【０００７】
【特許文献１】
特開２００３−３７８９２号公報
【０００８】
【発明が解決しようとする課題】
しかしながら、上述のスピーカは、磁気回路４とフレーム６を接触させ、この接触面に接着剤１１を塗布しているが、磁気回路４とフレーム６との接触面の隙間が細く、接着剤１１が十分に浸透しないという問題を抱えるものであった。
【０００９】
そのため、接触面の隙間に浸透しない接着剤１１がはみ出して、接着強度を低下させるおそれがあった。
【００１０】
本発明は、上記課題を解決するもので、磁気回路とフレームの接着強度向上を実現できる優れたスピーカを提供するものである。
【００１１】
【課題を解決するための手段】
上記課題を解決するために、本発明は以下の構成を有する。
【００１２】
本発明の請求項１に記載の発明は、マグネットを上部プレートと下部プレートとで挟持した磁気回路と、この磁気回路に結合されたフレームと、このフレームに、その外周部が結合された振動板と、この振動板に結合されるとともに、その一部が前記磁気回路の磁気ギャップに配置されたボイスコイルとからなるスピーカであって、前記下部プレートは、少なくとも直線部を有し、この直線部と前記フレームとの接触部に、少なくとも１個所以上の切欠部を設け、この下部プレートの切欠部に接着剤を塗布したものである。
【００１３】
この構成により、下部プレートとフレームとの接触面に、下部プレートの切欠部により接着剤が浸透しやすい構成とすることで、接着強度を向上させることができる。
【００１４】
本発明の請求項２に記載の発明は、フレームは、少なくとも直線部を有し、この直線部と下部プレートとの接触部に、少なくとも１個所以上の切欠部を設け、このフレームの切欠部に接着剤を塗布したものである。
【００１５】
この構成により、下部プレートとフレームとの接触面に、フレームの切欠部により接着剤が浸透しやすい構成とすることで、接着強度を向上させることができる。
【００１６】
本発明の請求項３に記載の発明は、下部プレートとフレームの接触部は、両方とも直線部を設け、この両直線部に、少なくとも１個所以上の切欠部を設け、この切欠部に接着剤を塗布したものである。
【００１７】
この構成により、下部プレートとフレームとの接触面に、下部プレートとフレームとの両方の切欠部により接着剤が浸透しやすい構成とすることで、さらに接着強度を向上させることができる。
【００１８】
【発明の実施の形態】
以下、本発明の実施の形態について図面を用いて説明する。なお、各実施の形態の説明については、実施の形態１と同様のものはその説明を簡略しながら説明する。
【００１９】
（実施の形態１）
以下、実施の形態１を用いて、本発明の特に請求項１に記載の発明について説明する。図１は、本発明の実施の形態１のスピーカの断面図を示したものである。
【００２０】
図１に示すように、左右の板状のマグネット２１を、それぞれ左右の板状の上部プレート２２と下部プレート２３とにより、挟持して磁気回路２４を構成している。この磁気回路２４の下部プレート２３とフレーム２６を接触させながら、接触面に接着剤３１を塗布し、両者を結合している。
【００２１】
このとき、下部プレート２３のフレーム２６側は直線状となっており、その直線部のフレーム２６との接触部に、切欠部２３ａが設けられ、この下部プレート２３の切欠部２３ａに接着剤３１を流し込んでいる。
【００２２】
また、このフレーム２６の周縁部に振動板２７の外周部を接着し、この振動板２７の下面には、これを駆動させるための略長方形筒状のボイスコイル２８の上端を結合し、このボイスコイル２８の下部を磁気ギャップ２５にはまり込むように結合している。
【００２３】
以上の構成とすれば、下部プレート２３とフレーム２６との接触面において、下部プレート２３の切欠部２３ａにより接着剤３１が浸透しやすく、しかも接着面積が拡大でき、接着強度を向上させることができる。
【００２４】
さらに、切欠部２３ａに接着剤３１がたまることにより、接着剤層が厚くなり、接着強度を向上させることもできる。
【００２５】
また、以上の構成とすることにより、接着剤３１が浸透しやすく、接着剤３１のはみ出しもなくなり、接着剤３１が他の部分に付着することによる外観不良も発生しなくなる。
【００２６】
この切欠部２３ａの形状については、下部プレート２３の直線部のフレーム２６との接触部の外周端面に面取りをする形状に設けたり、Ｒをつけたりすることが可能である。
【００２７】
また、その数についても最低１個所から、表面積を拡大して接着強度をさらに向上させたい場合には、その数を増やして形成することも可能であり、実施効果が大きく期待できる。
【００２８】
（実施の形態２）
以下、実施の形態２を用いて、本発明の特に請求項２に記載の発明について説明する。図２は、本発明の実施の形態２のスピーカの断面図を示したものである。
【００２９】
実施の形態１と異なる内容についてのみ説明すると、図２に示すように、フレーム２６の下部プレート２３との接触部は直線状となっており、この直線部に、切欠部２６ａが設けられ、このフレーム２６の切欠部２６ａに接着剤３１を流し込んで構成している点である。
【００３０】
この構成により、下部プレート２３とフレーム２６との接触面に、フレーム２６の切欠部２６ａにより接着剤３１が浸透しやすい構成とすること、さらには接着面積が拡大できることで、接着強度を向上させることができる。
【００３１】
また、以上の構成とすることにより、接着剤３１が浸透しやすく、接着剤３１のはみ出しもなくなり、接着剤３１が他の部分に付着することによる外観不良も発生しなくなる。
【００３２】
（実施の形態３）
以下、実施の形態３を用いて、本発明の特に請求項３に記載の発明について説明する。
【００３３】
当実施の形態３は、実施の形態１と実施の形態２を同時に実施したものである。
【００３４】
図３（ａ）は、本発明の実施の形態３のスピーカの断面図を、図３（ｂ）は、本発明の実施の形態３のスピーカの斜視図を示したものである。
【００３５】
実施の形態１および実施の形態２と異なる内容についてのみ説明すると、図３に示すように、下部プレート２３とフレーム２６は、両者ともその接触部には少なくとも直線部を有し、この直線部の接触部の下部プレート２３とフレーム２６の両方に、それぞれ切欠部２３ａと切欠部２６ａを設け、これらの切欠部２３ａと切欠部２６ａに接着剤３１を塗布して構成したものである。
【００３６】
以上の構成によれば、下部プレート２３とフレーム２６との接触面には、下部プレート２３とフレーム２６との両方の切欠部２３ａと切欠部２６ａにより、接着剤３１が浸透しやすく、接着強度を向上させることができる。
【００３７】
（実施の形態４）
図４（ａ）は、本発明の実施の形態４のスピーカの断面図を、図４（ｂ）は、本発明の実施の形態４のスピーカの斜視図を示したものである。
【００３８】
図１〜図３と異なる内容についてのみ説明すると、図４に示すように、一枚のシート状の金属材料を折り曲げ加工して下部プレート２３Ａを構成している点である。
【００３９】
この構成により、下部プレート２３Ａの生産性を向上させることができる。
【００４０】
よって、この下部プレート２３Ａを使用したスピーカの生産性も向上させることができる。
【００４１】
【発明の効果】
以上のように本発明は、下部プレートかフレーム、またはその両方の互いの接触部に切欠部を設け、この切欠部に接着剤を塗布したものである。
【００４２】
以上の構成とすれば、切欠部により接着剤が浸透しやすく、接着強度を向上させることができる。
【００４３】
よって本発明は、下部プレートとフレームの接着強度向上を実現できる。
【図面の簡単な説明】
【図１】本発明の実施の形態１におけるスピーカの断面図
【図２】本発明の実施の形態２におけるスピーカの断面図
【図３】（ａ）は本発明の実施の形態３におけるスピーカの断面図
（ｂ）は本発明の実施の形態３におけるスピーカの裏面側斜視図
【図４】（ａ）は本発明の実施の形態４におけるスピーカの断面図
（ｂ）は本発明の実施の形態４におけるスピーカの裏面側斜視図
【図５】従来のスピーカの断面図
【符号の説明】
２１  マグネット
２２  上部プレート
２３  下部プレート
２３ａ  下部プレートの切欠部
２４  磁気回路
２５  磁気ギャップ
２６  フレーム
２６ａ  フレームの切欠部
２７  振動板
２８  ボイスコイル
３１  接着剤
【図１】
2004320595.tif 000003
【図２】
2004320595.tif 000004
【図３】
2004320595.tif 000005
【図４】
2004320595.tif 000006
【図５】
2004320595.tif 000007